(57)【要約】【課題】  画素電極の大きさや形状による画像の表示精度の制限を可及的に排除することができる画像表示装置を提供する。【解決手段】  本発明に係る画像表示装置は、電界強度に応じて屈折率が変化する電気光学効果を有する光変調素子２５と、光変調素子２５の表面に設けられており光変調素子２５との間の相対的な位置関係が変更可能である複数の制御ポイント２６と、上述の位置関係の変更前の複数の制御ポイント２６に印加される電圧によって形成される変更前電界変位面と、上述の位置関係の変更後の複数の制御ポイント２６に印加される電圧によって形成される変更後電界変位面とを合成して、所定の画像パターンを有する電界変位面を光変調素子２５内に形成するように構成されている電界制御部２２とを具備する。【選択図】  図１
2006154133.tif 000002
【特許請求の範囲】
【請求項１】
電界強度に応じて屈折率が変化する電気光学効果を有する光変調素子と、
前記光変調素子の表面に設けられており、該光変調素子との間の相対的な位置関係が変更可能である複数の制御ポイントと、
前記位置関係の変更前の前記複数の制御ポイントに印加される電圧によって形成される変更前電界変位面と、前記位置関係の変更後の前記複数の制御ポイントに印加される電圧によって形成される変更後電界変位面とを合成して、所定の画像パターンを有する電界変位面を前記光変調素子内に形成するように構成されている電界制御部とを具備することを特徴とする画像表示装置。
【請求項２】
計算された干渉縞を用いて立体画像を表示する立体画像表示装置であって、
電界強度に応じて屈折率が変化する電気光学効果を有する光変調素子と、
前記光変調素子の表面に設けられており、該光変調素子との間の相対的な位置関係が変更可能である複数の制御ポイントと、
前記位置関係の変更前の前記複数の制御ポイントに印加される電圧によって形成される変更前電界変位面と、前記位置関係の変更後の前記複数の制御ポイントに印加される電圧によって形成される変更後電界変位面とを合成して、前記干渉縞の画像パターンと等価な画像パターンを有する電界変位面を前記光変調素子内に形成するように構成されている電界制御部とを具備することを特徴とする立体画像表示装置。
【請求項３】
前記電界制御部は、前記位置関係の変更前の前記複数の制御ポイントに電圧を印加して前記光変調素子の屈折率を変化させた状態を保持したまま、前記位置関係の変更後の前記複数の制御ポイントに電圧を印加するように構成されていることを特徴とする請求項２に記載の立体画像表示装置。
【請求項４】
前記画像パターンは、前記干渉縞の位相情報又は前記干渉縞の振幅情報のいずれか、或いは、前記干渉縞の位相情報及び前記干渉縞の振幅情報の両方によって構成されることを特徴とする請求項２に記載の立体画像表示装置。
【請求項５】
前記制御ポイントは、前記光変調素子の表面の縦方向に配線された縦方向配線電極と横方向に配線された横方向配線電極との交差部分であることを特徴とする請求項２に記載の立体画像表示装置。
【請求項６】
前記電界制御部は、前記干渉縞の画像パターンと前記複数の制御ポイントの各々に印加する電圧値とを関連付けて記憶しており、計算された前記干渉縞の画像パターンに関連付けられている前記電圧値を前記複数の制御ポイントの各々に印加することを特徴とする請求項２に記載の立体画像表示装置。
【請求項７】
前記複数の制御ポイントは、前記光変調素子の表面に移動可能に設けられた電極であることを特徴とする請求項２に記載の立体画像表示装置。
【請求項８】
前記光変調素子は、前記複数の制御ポイントに対して移動可能に構成されていることを特徴とする請求項２に記載の立体画像表示装置。
【請求項９】
前記複数の制御ポイントは、前記光変調素子の表面に設けられた電極における突起形状部分であることを特徴とする請求項２に記載の立体画像表示装置。
【請求項１０】
前記光変調素子において前記電界強度と前記屈折率の変化との関係が非線形であることを特徴とする請求項２に記載の立体画像表示装置。
【請求項１１】
前記複数の制御ポイントは、複数の微小電極を有し、
前記電界制御部は、前記微小電極の各々に印加する電圧値を制御することを特徴とする請求項２に記載の立体画像表示装置。
【請求項１２】
前記電界制御部は、前記制御ポイントに電圧を印加する印加時間を、前記位置関係の変更前後で、個別に制御するように構成されていることを特徴とする請求項２に記載の立体画像表示装置。
【請求項１３】
前記電界制御部は、前記制御ポイントに電圧を印加する印加時間を、該制御ポイントごとに個別に制御するように構成されていることを特徴とする請求項２に記載の立体画像表示装置。
【請求項１４】
立体画像表示装置とサーバ装置とを具備し、立体画像を表示する立体画像表示システムであって、
前記サーバ装置は、
物体光と参照光とから生成される干渉縞を計算する干渉縞計算部と、
干渉縞の画像パターンと、複数の制御ポイントと前記立体画像表示装置の光変調素子との間の相対的な位置関係の変更に関する変更情報と、前記位置関係の変更前に前記複数の制御ポイントの各々に印加する変更前電圧値と、前記位置関係の変更後に前記複数の制御ポイントの各々に印加する変更後電圧値とを関連付けて記憶する記憶部と、
計算された前記干渉縞の画像パターンに関連付けられている前記変更情報と前記変更前電圧値と前記変更後電圧値とを前記立体画像表示装置に送信する送信部とを具備し、
前記立体画像表示装置は、
電界強度に応じて屈折率が変化する電気光学効果を有する光変調素子と、
前記光変調素子の表面に設けられた複数の制御ポイントと、
前記サーバ装置から受信した前記変更前電圧値を前記複数の制御ポイントに印加して、前記変更情報に基づいて前記複数の制御ポイントと前記光変調素子との相対的な位置関係を変更した後、前記サーバ装置から受信した前記変更後電圧値を前記複数の制御ポイントに印加して、前記干渉縞の画像パターンと等価な画像パターンを有する電界変位面を前記光変調素子内に形成するように構成されている電界制御部とを具備することを特徴とする立体画像表示システム。
【発明の詳細な説明】
【技術分野】
【０００１】
本発明は、画像表示装置、計算された干渉縞（計算機ホログラム）を用いて立体画像を表示する立体画像表示装置及び立体画像表示システムに関する。
【背景技術】
【０００２】
従来、光変調素子に電圧を印加することによって当該光変調素子内に形成した画像を表示する画像表示装置が知られている。例えば、かかる画像表示装置として、液晶ディスプレイ（ＬＣＤ）等が挙げられる。
【０００３】
ここで、光変調素子とは、電気光学効果を有する素子である。また、電気光学効果とは、物質に電界を作用させることによって生じる現象であり、具体的には、物質に印加された電界強度に応じて当該物質の屈折率が変化する現象である。
【０００４】
図２３及び図２４を参照して、従来の光変調素子を用いた画像表示装置について説明する。従来の光変調素子を用いた画像表示装置として、図２３に示す単純マトリクス方式の電極構造を有する画像表示装置や、図２４に示すアクティブマトリクス方式の電極構造を有する画像表示装置が知られている。
【０００５】
図２３（ａ）に示すように、単純マトリクス方式の電極構造を有する画像表示装置では、薄膜化した光変調素子２５の上面にＸ軸方向の電極２３が設けられており、また、薄膜化した光変調素子２５の下面にＹ軸方向の電極２４が設けられている。
【０００６】
ここで、かかるＸ軸方向の電極２３とＹ軸方向の電極２４との交差部分の各々が、図２３（ｂ）に示すように、単純マトリクス方式の電極構造を有する画像表示装置によって表示される画像を構成する各画素に対応する画素電極２３ａとなる。
【０００７】
一方、図２４（ａ）に示すように、アクティブマトリクス方式の電極構造を有する画像表示装置では、光変調素子２５の上面に複数の電極２３が設けられており、また、光変調素子２５の下面に電極２４が設けられている。
【０００８】
ここで、電極２３は、図２４（ｂ）に示すように、アクティブマトリクス方式の電極構造を有する画像表示装置によって表示される画像を構成する各画素に対応する複数の画素電極２３ａを有しており、画素電極２３ａごとに、独立してＯＮ/ＯＦＦの制御が可能なトランジスタを準備する構成を採っている。また、電極２４は、接地されている。
【０００９】
従来の単純マトリクス方式及びアクティブマトリクス方式の電極構造を有する画像表示装置では、光変調素子２５に記録する画像を構成する各画素の濃淡値等に基づいて、画素電極２３ａに印加する電圧値を制御するように構成されている。
【非特許文献１】福見  監修、「新編  光学材料ハンドブック」、６０-６７頁、リアライズ社、２０００年発刊
【非特許文献２】奥山、「強誘電体薄膜を用いた電子デバイス」、電学論Ｅ、ｖｏｌ.１２１、Ｎｏ.１０、５３７-５４１頁、２００１年
【発明の開示】
【発明が解決しようとする課題】
【００１０】
しかしながら、従来の単純マトリクス方式及びアクティブマトリクス方式の電極構造を有する画像表示装置では、各画素電極２３ａ単位でしか印加する電圧値を変更することしかできないため、図２５に示す矩形領域（画素）内において濃淡値が同一になり、かかる従来の画像表示装置によって表示可能な画像の精度は、かかる画素電極２３ａの大きさや形状による制限を受けるという問題点があった。
【００１１】
すなわち、かかる従来の画像表示装置では、画素電極２３ａの微小化には限界があるため、表示する画像の量子化誤差が大きくなり、画像を十分な精度で表示することができないという問題点があった。
【００１２】
そこで、本発明は、以上の点に鑑みてなされたもので、画素電極の大きさや形状による画像の表示精度の制限を可及的に排除することができる画像表示装置、立体画像表示装置及び立体画像表示システムを提供することを目的とする。
【課題を解決するための手段】
【００１３】
本発明の第１の特徴は、電界強度に応じて屈折率が変化する電気光学効果を有する光変調素子と、前記光変調素子の表面に設けられており、該光変調素子との間の相対的な位置関係が変更可能である複数の制御ポイントと、前記位置関係の変更前の前記複数の制御ポイントに印加される電圧によって形成される変更前電界変位面と、前記位置関係の変更後の前記複数の制御ポイントに印加される電圧によって形成される変更後電界変位面とを合成して、所定の画像パターンを有する電界変位面を前記光変調素子内に形成するように構成されている電界制御部とを具備する画像表示装置であることを要旨とする。
【００１４】
本発明の第２の特徴は、計算された干渉縞を用いて立体画像を表示する立体画像表示装置であって、電界強度に応じて屈折率が変化する電気光学効果を有する光変調素子と、前記光変調素子の表面に設けられており、該光変調素子との間の相対的な位置関係が変更可能である複数の制御ポイントと、前記位置関係の変更前の前記複数の制御ポイントに印加される電圧によって形成される変更前電界変位面と、前記位置関係の変更後の前記複数の制御ポイントに印加される電圧によって形成される変更後電界変位面とを合成して、前記干渉縞の画像パターンと等価な画像パターンを有する電界変位面を前記光変調素子内に形成するように構成されている電界制御部とを具備することを要旨とする。
【００１５】
本発明の第２の特徴において、前記電界制御部が、前記位置関係の変更前の前記複数の制御ポイントに電圧を印加して前記光変調素子の屈折率を変化させた状態を保持したまま、前記位置関係の変更後の前記複数の制御ポイントに電圧を印加するように構成されていてもよい。
【００１６】
本発明の第２の特徴において、前記画像パターンが、前記干渉縞の位相情報又は前記干渉縞の振幅情報のいずれか、或いは、前記干渉縞の位相情報及び前記干渉縞の振幅情報の両方によって構成されていてもよい。
【００１７】
本発明の第２の特徴において、前記制御ポイントが、前記光変調素子の表面の縦方向に配線された縦方向配線電極と横方向に配線された横方向配線電極との交差部分であってもよい。
【００１８】
本発明の第２の特徴において、前記電界制御部が、前記干渉縞の画像パターンと前記複数の制御ポイントの各々に印加する電圧値とを関連付けて記憶しており、計算された前記干渉縞の画像パターンに関連付けられている前記電圧値を前記複数の制御ポイントの各々に印加するように構成されていてもよい。
【００１９】
本発明の第２の特徴において、前記複数の制御ポイントが、前記光変調素子の表面に移動可能に設けられた電極であってもよい。
【００２０】
本発明の第２の特徴において、前記光変調素子が、前記複数の制御ポイントに対して移動可能に構成されていてもよい。
【００２１】
本発明の第２の特徴において、前記複数の制御ポイントが、前記光変調素子の表面に設けられた電極における突起形状部分であってもよい。
【００２２】
本発明の第２の特徴において、前記光変調素子において前記電界強度と前記屈折率の変化との関係が非線形であってもよい。
【００２３】
本発明の第２の特徴において、前記複数の制御ポイントが、複数の微小電極を有し、前記電界制御部が、前記微小電極の各々に印加する電圧値を制御するように構成されていてもよい。
【００２４】
本発明の第２の特徴において、前記電界制御部が、前記制御ポイントに電圧を印加する印加時間を、前記位置関係の変更前後で、個別に制御するように構成されていてもよい。
【００２５】
本発明の第２の特徴において、前記電界制御部が、前記制御ポイントに電圧を印加する印加時間を、該制御ポイントごとに個別に制御するように構成されていてもよい。
【００２６】
本発明の第３の特徴は、立体画像表示装置とサーバ装置とを具備し、立体画像を表示する立体画像表示システムであって、前記サーバ装置は、物体光と参照光とから生成される干渉縞を計算する干渉縞計算部と、干渉縞の画像パターンと、複数の制御ポイントと前記立体画像表示装置の光変調素子との間の相対的な位置関係の変更に関する変更情報と、前記位置関係の変更前に前記複数の制御ポイントの各々に印加する変更前電圧値と、前記位置関係の変更後に前記複数の制御ポイントの各々に印加する変更後電圧値とを関連付けて記憶する記憶部と、計算された前記干渉縞の画像パターンに関連付けられている前記変更情報と前記変更前電圧値と前記変更後電圧値とを前記立体画像表示装置に送信する送信部とを具備し、前記立体画像表示装置は、電界強度に応じて屈折率が変化する電気光学効果を有する光変調素子と、前記光変調素子の表面に設けられた複数の制御ポイントと、前記サーバ装置から受信した前記変更前電圧値を前記複数の制御ポイントに印加して、前記変更情報に基づいて前記複数の制御ポイントと前記光変調素子との相対的な位置関係を変更した後、前記サーバ装置から受信した前記変更後電圧値を前記複数の制御ポイントに印加して、前記干渉縞の画像パターンと等価な画像パターンを有する電界変位面を前記光変調素子内に形成するように構成されている電界制御部とを具備することを要旨とする。
【発明の効果】
【００２７】
以上説明したように、本発明によれば、画素電極の大きさや形状による画像の表示精度の制限を可及的に排除することができる画像表示装置、立体画像表示装置及び立体画像表示システムを提供することができる。
【発明を実施するための最良の形態】
【００２８】
（本発明の第１の実施形態に係る立体画像表示システムの構成）
図１は、本発明の第１の実施形態における立体画像表示システムの全体構成を示す図である。本実施形態に係る立体画像表示システムは、計算された干渉縞（計算機ホログラム）を用いて立体画像を表示する立体画像表示システムである。
【００２９】
なお、本実施形態において、「画像」は、静止画像及び動画像（映像又はビデオ）の双方を含む概念であるものとする。
【００３０】
図１に示すように、本実施形態に係る立体画像表示システムは、干渉縞計算装置１と、立体画像表示装置２と、参照光照射装置３とによって構成されている。
【００３１】
干渉縞計算装置１は、コンピュータによって構成されており、３次元形状の物体（例えば、立方体の３Ｄデータ）に照射したレーザ光が反射して生成される物体光と参照光とから生成される干渉縞を計算するように構成されている。ここで、干渉縞とは、例えば、図２（ａ）及び（ｂ）に示すように、輝度の変化が光の振幅情報に対応し、縞模様のパターンが光の位相情報に対応した濃淡画像である。
【００３２】
立体画像表示装置２は、電界強度に応じて屈折率が変化する電気光学効果を有する光変調素子２５を有し、干渉縞計算装置１によって計算された干渉縞に応じて、光変調素子２５に加える電界強度を変化させることによって、当該干渉縞の画像パターンと等価な画像パターンを当該光変調素子２５内に形成するように構成されている。
【００３３】
図１に示すように、立体画像表示装置２は、ホログラム記録素子２１と、電界制御部２２と、電極移動部２７とによって構成されている。
【００３４】
ホログラム記録素子２１は、図３（ａ）に示すように、電界強度に応じて屈折率が変化する電気光学効果を有する光変調素子２５と、当該光変調素子２５の表面に設けられた複数の制御ポイント２６とを具備する。
【００３５】
具体的には、ホログラム記録素子２１は、光変調素子２５を微細な上面電極２３及び下面電極２４で挟み込んだ構成を採っている。
【００３６】
本実施形態では、光変調素子２５の上面のＸ軸方向（横方向）に配線された横方向配線電極と、光変調素子２５の下面のＹ軸方向（縦方向）に配線された縦方向配線電極との交差部分を、電界制御部２２によって印加する電圧値を制御するポイントである「制御ポイント２６」とする。
【００３７】
なお、本発明は、かかる制御ポイント２６に限定されることなく、上面電極２３及び下面電極２４の構成に従って他の形態の制御ポイント２６が用いられる場合にも適応可能である。
【００３８】
また、本実施形態では、光変調素子２５として、分極反転を利用して電界制御による屈折率変調が容易に実現可能な強誘電体素材であるＰＬＺＴやＳＢＴやＳＢＮ等の素材が用いられる。
【００３９】
なお、本実施形態で用いられる光変調素子２５の特定領域における印加電圧（電位差）と屈折率との関係の一例を、図３（ｂ）に示す。図３に示すように、本実施形態で用いられる光変調素子２５は、特定領域において印加される電圧が大きくなると、当該特定領域の屈折率が大きくなるような特性を有している。
【００４０】
また、複数の制御ポイント２６の各々は、光変調素子２５との間の相対的な位置関係が変更可能なように構成されている。本実施形態では、光変調素子２５の表面に設けられている制御ポイント２６が、電極移動部２７によって移動可能に構成されている。
【００４１】
具体的には、図４に示すように、上面電極２３及び下面電極２４が、ピエゾ素子やダンパ等によって構成されている電極移動部２７によって、Ｘ軸方向及びＹ軸方向に自由に移動可能に構成されている。
【００４２】
電界制御部２２は、干渉縞計算装置１から画像信号によって送信された干渉縞を表示するための情報（干渉縞の画像パターン）に基づいて、光変調素子２５の表面の制御ポイント２６に加える電界強度（電圧値）を変化させることによって、当該光変調素子２５内部の屈折率を変化させ、当該光変調素子２５内に当該干渉縞を形成するように構成されている。
【００４３】
すなわち、電界制御部２２は、複数の上面電極２３及び複数の下面電極２４に印加する電圧値を制御して、上述の干渉縞の画像パターンと等価な画像パターンを有する電界変位面を光変調素子２５内に形成するように構成されている。
【００４４】
なお、本実施形態において、上述の干渉縞の画像パターンは、干渉縞の位相情報、干渉縞の振幅情報、又は、干渉縞の位相情報と振幅情報との組み合わせによって構成されている。
【００４５】
具体的には、電界制御部２２は、各制御ポイント２６と光変調素子２５との間の相対的な位置関係の変更前の各制御ポイント２６に印加される電圧によって形成される変更前電界変位面と、各制御ポイント２６と光変調素子２５との間の相対的な位置関係の位置関係の変更後の各制御ポイントに印加される電圧によって形成される変更後電界変位面とを合成して、当該干渉縞の画像パターンと等価な画像パターンを有する電界変位面を光変調素子２５内に形成するように構成されている。
【００４６】
本実施形態では、電界制御部２２は、移動前の複数の制御ポイント２６に印加される電圧によって形成される移動前電界変位面（変更前電界変位面）と、移動後の複数の制御ポイント２６に印加される電圧によって形成される移動後電界変位面（変更後電界変位面）とを合成することによって、干渉縞の画像パターンと等価な画像パターンを有する電界変位面を光変調素子２５内に形成するように構成されている。
【００４７】
すなわち、本実施形態に係る電界制御部２２は、印加される電圧値（電界強度）により変化した屈折率をある時間保持できるという光変調素子２５の性質を利用して、干渉縞の画像パターンと等価な画像パターンを有する電界変位面を光変調素子２５内に形成する。
【００４８】
なお、本実施形態では、電界制御部２２は、制御ポイント２６（すなわち、上面電極２３又は下面電極２４）を、１回又は２回だけ移動させて、２又は３の電界変位面を合成することによって、干渉縞の画像パターンと等価な画像パターンを有する電界変位面を光変調素子２５内に形成するように構成されているが、本発明は、この場合に限定されること無く、電界制御部２２が、制御ポイント２６（すなわち、上面電極２３又は下面電極２４）を、任意の回数だけ移動させて、任意の数の電界変位面を合成することによって、干渉縞の画像パターンと等価な画像パターンを有する電界変位面を光変調素子２５内に形成するように構成されている場合にも適用可能である。
【００４９】
具体的には、本実施形態に係る電界制御部２２は、図５に示すように、画像信号受信部２２ａと、記憶部２２ｂと、決定部２２ｃと、電圧印加部２２ｄと、移動制御部２２ｅとを具備している。
【００５０】
画像信号受信部２２ａは、有線回線又は無線回線を介して、干渉縞計算装置１から画像信号によって送信された干渉縞を表示するための情報（干渉縞の画像パターン）を受信するものである。
【００５１】
記憶部２２ｂは、干渉縞の画像パターンと、複数の制御ポイント２６と光変調素子２５との間の相対的な位置関係の変更に関する変更情報と、当該位置関係の変更前に複数の制御ポイント２６の各々に印加する変更前電圧値と、当該位置関係の変更後に複数の制御ポイント２６の各々に印加する変更後電圧値とを関連付けて記憶するように構成されている。
【００５２】
本実施形態では、記憶部２２ｂは、干渉縞の画像パターンと、複数の制御ポイント２６の移動に関する移動情報（変更情報）と、移動前の複数の制御ポイント２６の各々に印加する移動前電圧値（変更前電圧値）と、移動後の複数の制御ポイント２６の各々に印加する移動後電圧値（変更後電圧値）とを関連付けて記憶するように構成されている。
【００５３】
例えば、記憶部２２ｂは、図６（ａ）乃至（ｃ）に示す３種類の干渉縞の画像パターンを記憶しているものとする。以下、図６（ａ）に示す画像パターンを「画像パターン（ａ）」とし、図６（ｂ）に示す画像パターンを「画像パターン（ｂ）」とし、図６（ｃ）に示す画像パターンを「画像パターン（ｃ）」とする。
【００５４】
かかる場合、記憶部２２ｂは、例えば、図６（ｄ）に示すように、「画像パターン」と「移動情報」と「移動前電圧値」と「移動後電圧値」と「印加時間」とを関連付けるテーブルを記憶する。
【００５５】
ここで、「画像パターン」は、４つの制御ポイント＃１乃至＃４における電位差によって形成される電界変位面の画像パターンを示す。
【００５６】
本実施形態では、電界変位面は、４つの制御ポイント＃１乃至＃４における電位差によって形成されるように構成されているが、本発明は、かかる場合に限定されるものではなく、２以上の任意数の制御ポイントにおける電位差によって形成される場合にも適応可能である。
【００５７】
また、「移動情報」は、制御ポイント２６（すなわち、上面電極２３又は下面電極２４）が移動する方向を、（Ｘ軸方向の距離，Ｙ軸方向の距離）によって表現されるベクトルで示すものである。
【００５８】
また、「移動前電圧値」は、４つの制御ポイント２６（すなわち、上面電極２３又は下面電極２４）を移動する前に、当該画像パターンに対応する領域を囲む４つの制御ポイント２６ａ乃至２６ｄに印加する電圧値を示すものである。かかる電圧値は、（制御ポイント２６ａに印加する電圧値，制御ポイント２６ｂに印加する電圧値，制御ポイント２６ｃに印加する電圧値，制御ポイント２６ｄに印加する電圧値）によって表現されるものとする。
【００５９】
同様に、「移動後電圧値」は、４つの制御ポイント２６ａ乃至２６ｄ（すなわち、上面電極２３又は下面電極２４）を移動した後に、当該画像パターンに対応する領域を囲む４つの制御ポイント２６ａ乃至２６ｄに印加する電圧値を示すものである。かかる電圧値は、（制御ポイント２６ａに印加する電圧値，制御ポイント２６ｂに印加する電圧値，制御ポイント２６ｃに印加する電圧値，制御ポイント２６ｄに印加する電圧値）によって表現されるものとする。
【００６０】
また、「印加時間」は、制御ポイントに電圧を印加する印加時間を示すものである。例えば、図６（ｄ）に示すテーブルにおいて、印加時間の単位は、「ｍｓ」であるものとする。
【００６１】
すなわち、図６（ｄ）に示すテーブルは、４つの制御ポイント２６ａ乃至２６ｄの各々に「１０ｍｓ」の期間、「２０Ｖ」の「移動前電圧値」を印加することによって、制御ポイント２６ａ乃至２６ｄ（すなわち、上面電極２３又は下面電極２４）を移動することなく、画像パターン（ａ）を生成することができることを示す。
【００６２】
また、図６（ｄ）に示すテーブルは、図７（ａ）乃至（ｃ）に示すように、４つの制御ポイント２６ａ乃至２６ｄの各々に「１００ｍｓ」の期間、「２０Ｖ」の「移動前電圧値」を印加した後、制御ポイント２６ａ乃至２６ｄ（すなわち、上面電極２３又は下面電極２４）をＸ軸方向に「１（単位距離）」及びＹ軸方向に「１（単位距離）」だけ移動した状態で、４つの制御ポイント２６ａ乃至２６ｄの各々に「１００ｍｓ」の期間、「２０Ｖ」の「移動後電圧値」を印加することによって、画像パターン（ｂ）を生成することができることを示す。
【００６３】
また、図６（ｄ）に示すテーブルは、図８（ａ）乃至（ｃ）に示すように、４つの制御ポイント２６ａ乃至２６ｄの各々に電圧を印加していない状態（「移動前電圧値」が「０Ｖ」の状態）から、制御ポイント２６ａ乃至２６ｄ（すなわち、上面電極２３又は下面電極２４）をＹ軸方向に「１（単位距離）」だけ移動した状態で、４つの制御ポイント２６ａ乃至２６ｄの各々に「２０ｍｓ」の期間、「２０Ｖ」の「移動後電圧値」を印加して、さらに、上面電極２３又は下面電極２４（すなわち、制御ポイント２６）をＸ軸方向に「１（単位距離）」だけ移動した状態で、４つの制御ポイント２６ａ乃至２６ｄの各々に「５０ｍｓ」の期間、「２０Ｖ」の「移動後電圧値」を印加することによって、画像パターン（ｃ）を生成することができることを示す。
【００６４】
なお、図６（ｄ）に示すテーブルは一例であり、記憶部２２ｂは、制御ポイント２６の移動情報と、移動前電圧値及び移動後電圧値と、画像パターンとを関連付けるレコードであれば任意の形式のレコードを含むテーブルを記憶するように構成されていてもよい。
【００６５】
決定部２２ｃは、制御ポイント２６（すなわち、上面電極２３又は下面電極２４）の移動情報と、各制御ポイント２６に印加する移動前電圧値及び移動後電圧値とを決定するものである。
【００６６】
具体的には、決定部２２ｃは、記憶部２２ｂに記憶されているテーブル（図６（ｄ）参照）の中から、画像信号受信部２２ａによって受信された干渉縞の画像パターンに最も類似する「画像パターン」を選択して、選択した「画像パターン」に関連付けられている制御ポイント２６の移動情報と移動前電圧値と移動後電圧値とに基づいて、制御ポイント２６の移動情報と、各制御ポイント２６に印加する移動前電圧値及び移動後電圧値とを決定するように構成されている。
【００６７】
また、決定部２２ｃは、図６（ｄ）に示すテーブルに基づいて、各制御ポイント２６に電圧を印加する印加時間を、移動前後（光変調素子２５と各制御ポイントとの間の相対的な位置関係の変更前後）で、個別に制御するように構成されていてもよい。
【００６８】
また、決定部２２ｃは、各制御ポイント２６に電圧を印加する印加時間を、当該制御ポイント２６ごとに個別に制御するように構成されていてもよい。
【００６９】
電圧印加部２２ｄは、決定部２２ｃによって決定された各制御ポイント２６に印加すべき移動前電圧値に基づいて、移動前の上面電極２３及び下面電極２４に所定電圧を印加し、決定部２２ｃによって決定された各制御ポイント２６に印加する移動後電圧値に基づいて、移動後の上面電極２３及び下面電極２４に所定電圧を印加するように構成されている。
【００７０】
具体的には、電圧印加部２２ｄは、移動前（光変調素子２５と各制御ポイントとの間の相対的な位置関係の変更前）の各制御ポイント２６に電圧（移動前電圧値の電圧）を印加して光変調素子２５の屈折率を変化させた状態を保持したまま、移動後（光変調素子２５と各制御ポイントとの間の相対的な位置関係の変更後）の複数の制御ポイント２６に電圧（移動後電圧値の電圧）を印加するように構成されていてもよい。
【００７１】
移動制御部２２ｅは、決定部２２ｃによって決定された制御ポイント２６の移動情報に基づいて、電極移動部２７に対して、上面電極２３、下面電極２４又は両電極２３、２４を移動するように指示するものである。
【００７２】
参照光照射装置３は、光変調素子２５に向けて参照光Ｂを照射するように構成されており、ここで、参照光Ｂは、干渉縞計算装置１による干渉縞の計算に用いられた参照光と同じ波長及び同じ入射角度を有する。
【００７３】
上述のように、光変調素子２５に干渉縞が記録されている状態で、当該光変調素子２５に向けて参照光Ｂを照射すると、当該光変調素子２５に記録されている干渉縞によって物体光Ａが発生する。その結果、干渉縞計算装置１による干渉縞の計算に用いられた３次元形状の物体から来る光と同じ物体光Ａが観察者の眼に入ることによって、観察者は上述の３次元形状の物体を立体的に観察することができる。
【００７４】
上述の本実施形態では、干渉縞計算装置１と立体画像表示装置２とが別個の装置として設けられているが、本発明は、これに限定されるものではなく、立体画像表示装置２が干渉縞計算装置１の機能を具備する構成についても適用可能である。
【００７５】
（本発明の第１の実施形態に係る立体画像表示システムの動作）
図９を参照して、本発明の第１の実施形態に係る立体画像表示システムの動作について説明する。
【００７６】
ステップＳ１０１において、立体画像表示装置２の電界制御部２２は、干渉縞計算装置１によって計算された干渉縞を表示するための情報（干渉縞の画像パターン）を含む画像信号を受信する。
【００７７】
ステップＳ１０２において、電界制御部２２は、受信した画像信号に含まれる干渉縞の画像パターンを解析する。具体的には、電界制御部２２は、受信した画像信号に含まれる干渉縞の画像パターンに最も類似する画像パターンを記憶部２６内のテーブルから選択する。
【００７８】
ステップＳ１０３において、電界制御部２２は、記憶部２６内のテーブルにおいて、選択した画像パターンに関連付けられている制御ポイント２６の移動情報及び各制御ポイント２６の移動前電圧値（電界強度又は電位差）及び移動後電圧値（電界強度又は電位差）及び各電圧値の印加時間を抽出する。
【００７９】
その結果、電界制御部２２は、抽出した情報に基づいて、上面電極２３、下面電極２４又は両電極２３、２４の移動方法（すなわち、制御ポイント２６をどの位置に移動させるか、及び、制御ポイント２６を何回移動させるか等）について決定する。
【００８０】
また、電界制御部２２は、抽出した情報に基づいて、各制御ポイント２６に印加する移動前電圧値及び移動後電圧値、及び、各電圧値の印加時間を決定する。
【００８１】
ステップＳ１０４において、電界制御部２２は、決定された各制御ポイント２６に印加する移動前電圧値（又は、移動後電圧値）に基づいて、上面電極２３及び下面電極２４に所定の印加時間だけ所定電圧を印加することによって、光変調素子２５内の屈折率を変化させ、その結果、移動前電界変位面又は移動後電界変位面を当該光変調素子２５内に形成する。
【００８２】
ステップＳ１０５において、電界制御部２２は、ステップＳ１０３において決定された全ての移動が完了したか否かについて判断する。完了していないと判断した場合は、本動作はステップＳ１０６に進み、完了したと判断した場合は、本動作は終了する。
【００８３】
ステップＳ１０６において、電界制御部２２は、ステップＳ１０３において決定された移動方法に基づいて、上面電極２３、下面電極２４又は両電極２３、２４を移動する。
【００８４】
ステップＳ１０３及びＳ１０４の動作を繰り返すことによって、移動前の複数の制御ポイント２６に印加される電圧によって形成される移動前電界変位面と、移動後の複数の制御ポイント２６に印加される電圧によって形成される移動後電界変位面とが合成され、その結果、干渉縞の画像パターンと等価な画像パターンを有する電界変位面が光変調素子２５内に形成される。
【００８５】
（本発明の第１の実施形態に係る立体画像表示システムの作用・効果）
本発明の第１の実施形態に係る立体画像表示システムによれば、印加される電圧値（電界強度）により変化した屈折率をある時間保持できるという光変調素子２５の性質を利用して、干渉縞の画像パターンと等価な画像パターンを有する電界変位面を光変調素子２５内に形成するため、アナログな画像パターンを表示することができ、画素電極の大きさや形状による画像の表示精度の制限を排除して、十分な精度の画像を表示することができる。
【００８６】
（本発明の第２の実施形態に係る立体画像表示システム）
図１０及び図１１を参照して、本発明の第２の実施形態に係る立体画像表示システムについて説明する。
【００８７】
本実施形態に係る立体画像表示システムは、図１０に示すように、電極移動部２７の代わりに光変調素子移動部２７ａを具備する点を除いて、上述の第１の実施形態に係る立体画像表示システムと同じ構成を具備するものである。
【００８８】
本実施形態では、光変調素子２５が、複数の制御ポイント２６の各々との間の相対的な位置関係が変更可能なように構成されている。本実施形態では、光変調素子２５が、光変調素子移動部２７ａによって移動可能に構成されている。
【００８９】
具体的には、図１１に示すように、光変調素子２５が、ピエゾ素子やダンパ等によって構成されている光変調素子移動部２７ａによって、Ｘ軸方向及びＹ軸方向に自由に移動可能に構成されている。
【００９０】
本実施形態では、電界制御部２２は、光変調素子２５が移動する前に複数の制御ポイント２６に印加される電圧によって形成される移動前電界変位面（変更前電界変位面）と、光変調素子２５が移動する後に複数の制御ポイント２６に印加される電圧によって形成される移動後電界変位面（変更後電界変位面）とを合成することによって、干渉縞の画像パターンと等価な画像パターンを有する電界変位面を光変調素子２５内に形成するように構成されている。
【００９１】
すなわち、本実施形態では、「移動情報」は、光変調素子２５が移動する方向を、（Ｘ軸方向の距離，Ｙ軸方向の距離）によって表現されるベクトルで示すものである。
【００９２】
また、「移動前電圧値」は、光変調素子２５を移動する前に、当該画像パターンに対応する領域を囲む４つの制御ポイント２６ａ乃至２６ｄに印加する電圧値を示すものである。かかる電圧値は、（制御ポイント２６ａに印加する電圧値，制御ポイント２６ｂに印加する電圧値，制御ポイント２６ｃに印加する電圧値，制御ポイント２６ｄに印加する電圧値）によって表現されるものとする。
【００９３】
同様に、「移動後電圧値」は、光変調素子２５を移動した後に、当該画像パターンに対応する領域を囲む４つの制御ポイント２６ａ乃至２６ｄに印加する電圧値を示すものである。かかる電圧値は、（制御ポイント２６ａに印加する電圧値，制御ポイント２６ｂに印加する電圧値，制御ポイント２６ｃに印加する電圧値，制御ポイント２６ｄに印加する電圧値）によって表現されるものとする。
【００９４】
また、移動制御部２２ｅは、決定部２２ｃによって決定された光変調素子２５の移動情報に基づいて、光変調素子移動部２７ａに対して、光変調素子２５を移動するように指示するものである。
【００９５】
（本発明の第３の実施形態に係る立体画像表示システム）
図１２（ａ）及び（ｂ）を参照して、本発明の第３の実施形態に係る立体画像表示システムについて説明する。
【００９６】
本実施形態に係る立体画像表示システムは、複数の制御ポイント２６が光変調素子２５に設けられた電極における突起形状部分である点を除いて、上述の第１及び第２の実施形態に係る立体画像表示システムと同じ構成を具備するものである。
【００９７】
図１２（ａ）は、本実施形態に係るホログラム記録素子２１の断面を横方向から見た図であり、図１２（ｂ）は、本実施形態に係るホログラム記録素子２１を上方から見た図である。
【００９８】
図１２（ａ）に示すように、本実施形態に係るホログラム記録素子２１において、下面電極２４が突起形状を有している。かかる場合、下面電極２４の突起形状部分が、電界制御部２２によって印加する電圧値を制御する制御ポイント２６に該当する。
【００９９】
したがって、かかる下面電極２４における突起形状部分の先端に電荷が多く溜まるため、上面電極２３と下面電極２４との間で大きな電位差を発生することができる。また、本実施形態に係る下面電極２４を用いることによって、制御ポイント２６の間隔を狭めることができ、ホログラム記録素子２１の小型化を実現することができる。
【０１００】
図１２（ｂ）に示すように、本実施形態に係るホログラム記録素子２１において、下面電極２４における突起形状部分は、光変調素子２５の表面上に一様に分布するように構成されている。
【０１０１】
また、本実施形態に係るホログラム記録素子２１において、下面電極２４における突起形状部分は、印加電圧をアクティブに制御可能なトランジスタ等で構成されている。
【０１０２】
したがって、本実施形態に係る電界制御部２２は、下面電極２４において所定電圧を印加する突起形状部分を随時変更することによって、上述の第２の実施形態に係る立体画像表示システムのように、上面電極２３又は下面電極２４を移動させることなく、複数の電界変位面を合成することによって高精度な干渉縞の画像パターンと等価な画像パターンを光変調素子２５内に形成することができる。
【０１０３】
（本発明の第４の実施形態に係る立体画像表示システム）
図１３乃至図１６を参照して、本発明の第４の実施形態に係る立体画像表示システムについて説明する。以下、本実施形態に係る立体画像表示システムについて、上述の第１乃至第３の実施形態に係る立体画像表示システムとの相違点を主として説明する。
【０１０４】
図１３に示すように、本実施形態に係る立体画像表示システムは、サーバ装置１００と、立体画像表示装置２とを具備する。本実施形態では、立体画像表示装置２が、パケット通信ネットワーク５を介してサーバ装置１００との間で通信可能な携帯通信端末によって構成されている例について説明する。
【０１０５】
サーバ装置１００は、図１４に示すように、干渉縞計算部１ａと、記憶部１ｂと、送信部１ｃとを具備している。
【０１０６】
干渉縞計算部１ａは、物体光と参照光とから生成される干渉縞（計算機ホログラム）を計算するものである。
【０１０７】
記憶部１ｂは、干渉縞の画像パターンと、複数の制御ポイント２６（又は、光変調素子２５）の移動に関する移動情報（変更情報）と、移動前の複数の制御ポイント２６の各々に印加する移動前電圧値（変更前電圧値）と、移動後の複数の制御ポイント２６の各々に印加する移動後電圧値（変更後電圧値）とを関連付けて記憶するように構成されている。かかる場合、例えば、記憶部１ｂは、図６（ｄ）に示すテーブルを記憶するように構成されている。
【０１０８】
送信部１ｃは、計算された干渉縞の画像パターンに関連付けられている移動情報と移動前電圧値と移動後電圧値とを立体画像表示装置２に送信するように構成されている。
【０１０９】
立体画像表示装置２は、図１５に示すように、通信部３１と、ホログラム記録素子２１と、電界制御部２２と、電極移動部２７と、光源３２と、光反射板３３とを具備している。
【０１１０】
通信部３１は、サーバ装置１００に対して、干渉縞の画像パターンに対応する移動情報と移動前電圧値と移動後電圧値とを送信するように要求し、受信した情報を電界制御部２２に送信するように構成されている。
【０１１１】
また、電界制御部２２は、通信部３１を介してサーバ装置から受信した干渉縞の画素パターンに対応する制御ポイント２６の移動情報と移動前電圧値と移動後電圧値とに基づいて、上述の第１の実施携帯に係る立体画像表示装置２の電界制御部２２と同様に、上面電極２３、下面電極２４又は電極２３、２４を移動させ、所定のタイミングで、各制御ポイント２６に対して移動前電圧値及び移動後電圧値を印加することによって、ホログラム記録素子２１の光変調素子２５内に、電界変位面を形成して、複数の電界変位面からなる干渉縞を記録するように構成されている。
【０１１２】
なお、ホログラム記録素子２１の構成は、上述の第１乃至第３の実施形態に係るホログラム記録素子２１の構成と同様である。ここで、上面電極２３は、透明電極によって構成されている。
【０１１３】
光反射板３３は、光源３２からの光を反射させることによって、参照光Ｂを生成するものである。ここで、参照光Ｂは、サーバ装置１００の干渉縞計算部１ａによる干渉縞の計算に用いられた参照光と同じ波長及び同じ入射角度を有する。なお、光源３２は、携帯通信端末の液晶ディスプレイで用いられるバックライトであってもよいし、かかるバックライトと別個に設けられた光源であってもよい。
【０１１４】
また、立体画像表示装置２は、図１６に示すように、通信部３１と、ホログラム記録素子２１と、電界制御部２２と、光変調素子移動部２７ａと、光源３２と、光反射板３３とを具備している。
【０１１５】
かかる場合、電界制御部２２は、通信部３１を介してサーバ装置から受信した干渉縞の画素パターンに対応する光変調素子２５の移動情報と移動前電圧値と移動後電圧値とに基づいて、上述の第２の実施携帯に係る立体画像表示装置２の電界制御部２２と同様に、光変調素子２５を移動させ、所定のタイミングで、各制御ポイント２６に対して移動前電圧値及び移動後電圧値を印加することによって、ホログラム記録素子２１の光変調素子２５内に、電界変位面を形成して、複数の電界変位面からなる干渉縞を記録するように構成されている。
【０１１６】
次に、図１７を参照して、本実施形態に係る立体画像表示システムの動作の一例について説明する。
【０１１７】
ステップＳ１００１において、サーバ装置１００の干渉縞計算部１ａが、物体光と参照光とから生成される干渉縞（計算機ホログラム）を計算する。
【０１１８】
ステップＳ１００２において、サーバ装置１００の送信部１ｃが、記憶部１ｂを参照して、計算機ホログラムの各画像パターンに関連付けられている移動情報と移動前電圧値と移動後電圧値とを抽出する。
【０１１９】
ステップＳ１００３において、サーバ装置１００の送信部１ｃが、抽出した移動情報（電極移動情報又は光変調素子移動情報）と移動前電圧値と移動後電圧値と各電圧値の印加時間（電界強度情報）とを含む画像情報を、パケット通信ネットワーク５を介して、立体画像表示装置２に送信する。
【０１２０】
ステップＳ１００４において、立体画像表示装置２の電界制御部２２が、通信部３１を介してサーバ装置から受信した画像情報に基づいて、電極移動部２７に対して制御ポイント２６を移動するように指示すると共に、所定のタイミングで上面電極２３及び下面電極２４に所定の印加時間だけ所定電圧（移動前電圧値又は移動後電圧値の電圧）を印加することによって、ホログラム記録素子２１の光変調素子２５内に、電界変位面を形成して、複数の電界変位面からなる干渉縞を記録する。
【０１２１】
または、ステップＳ１００４において、立体画像表示装置２の電界制御部２２が、通信部３１を介してサーバ装置から受信した画像情報に基づいて、光変調素子移動部２７ａに対して光変調素子２５を移動するように指示すると共に、所定のタイミングで上面電極２３及び下面電極２４に所定の印加時間だけ所定電圧（移動前電圧値又は移動後電圧値の電圧）を印加することによって、ホログラム記録素子２１の光変調素子２５内に、電界変位面を形成して、複数の電界変位面からなる干渉縞を記録する。
【０１２２】
ステップＳ１００５において、光源３２が、光反射板３３を介して参照光Ｂをホログラム記録素子２１の光変調素子２５内に形成された干渉縞に照射することによって、立体画像を表示する。
【０１２３】
（本発明の第５の実施形態に係る立体画像表示システム）
図１８及び図１９を参照して、本発明の第５の実施形態に係る立体画像表示システムについて説明する。以下、本実施形態に係る立体画像表示システムについて、上述の第１乃至第４の実施形態に係る立体画像表示システムとの相違点を主として説明する。
【０１２４】
図１８（ａ）に示すように、本実施形態に係るホログラム記録素子２１は、電界強度に応じて屈折率が変化する電気光学効果を有する光変調素子２５と、当該光変調素子２５の表面に設けられた複数の制御ポイント２６とを具備する。
【０１２５】
具体的には、ホログラム記録素子２１は、光変調素子２５の上面に複数の上面電極２３が設けられており、また、光変調素子２５の下面に下面電極２４が設けられている。ここで、下面電極２４は、接地されているものとする。
【０１２６】
本実施形態では、光変調素子２５の上面に設けられた複数の上面電極２３の各々を、電界制御部２２によって印加する電圧値を制御するポイントである「制御ポイント２６」とする。
【０１２７】
また、上面電極２３の各々に印加する電圧値は、電界制御部２２によって独立に制御される。
【０１２８】
なお、本実施形態における上面電極２３は、従来技術に係るアクティブマトリクス方式の電極構造を有する画像表示装置における上面電極２３と異なり、表示する画像を構成する各画素に対応していない。
【０１２９】
本実施形態では、図１８（ｂ）に示すように、光変調素子２５において、印加される電界強度（電位差）と屈折率の変化との関係は、非線形である。すなわち、本実施形態に係る光変調素子２５は、印加される電界強度が高くなるにつれて、屈折率が急激に変化する特性を有している。
【０１３０】
図１９（ａ）に、印加される電界強度（電位差）と屈折率の変化との関係が線形である光変調素子を用いた場合の例を示し、図１９（ｂ）に、印加される電界強度（電位差）と屈折率の変化との関係が非線形である本実施形態に係る光変調素子を用いた場合の例を示す。
【０１３１】
図１９（ａ）及び（ｂ）において、「Ｃ」は、図１８（ａ）のＢ方向から見たホログラム記録素子２１の様子（屈折率の変化パターン）を示し、「Ｄ」は、図１８（ａ）のＡ方向から見たホログラム記録素子２１の断面図を示す。
【０１３２】
図１９（ａ）及び（ｂ）から分かるように、上面電極２３と下面電極２４との間に同じ電位差（例えば、２０Ｖ）を与えた場合であっても、図１９（ａ）に示すホログラム記録素子２１と図１９（ｂ）に示すホログラム記録素子２１とで光変調素子２５内部における屈折率の変化が異なり（「Ｄ」における屈折率変化曲線を参照）、図１８（ａ）のＢ方向から見た場合の屈折率の変化パターンも異なる。
【０１３３】
具体的には、図１９（ｂ）に示すホログラム記録素子２１における屈折率の変化パターンは、図１９（ａ）に示すホログラム記録素子２１における屈折率の変化パターンよりも小さい。
【０１３４】
すなわち、本実施形態によれば、上面電極２３と下面電極２４との間に所定の電位差を与えた場合に、印加される電界強度（電位差）と屈折率の変化との関係が線形である光変調素子を用いたホログラム記録素子２１における屈折率の変化パターンよりも小さい屈折率の変化パターンを生成することができるため、より細かな干渉縞の画像パターンを生成することができる。
【０１３５】
（本発明の第６の実施形態に係る立体画像表示システム）
図２０乃至図２２を参照して、本発明の第６の実施形態に係る立体画像表示システムについて説明する。以下、本実施形態に係る立体画像表示システムについて、上述の第１乃至第５の実施形態に係る立体画像表示システムとの相違点を主として説明する。
【０１３６】
本実施形態に係るホログラム記録素子２１の構成は、上述の第５の実施形態におけるホログラム記録素子２１の構成と同一である（図１８（ａ）参照）。
【０１３７】
本実施形態では、図２０（ａ）に示すように、制御ポイント２６は、複数の微小電極２６ａを有するように構成されている。図２０（ａ）の例では、微小電極２６ａは、円形状を有しているが、本発明はこれに限定されず、制御ポイント２６が任意の形状の微小電極２６ａを有する場合にも適応可能である。
【０１３８】
また、電界制御部２２は、微小電極２６ａの各々に印加する電圧値を制御するように構成されている。
【０１３９】
具体的には、電界制御部２２は、図２０（ｂ）に示すように、ケーブル等の接続部２６ｂによって微小電極２６ａの各々に接続されており、微小電極２６ａの各々に印加する電圧値を独立に制御することができる。
【０１４０】
また、図２１に示すように、制御ポイント２６が設けられている上面電極２３（又は、下面電極２４）は、上述の第２の実施形態の場合と同様に、所定方向（上面電極移動方向又は下面電極移動方向）に移動可能に構成されていてもよい。
【０１４１】
図２２に、制御ポイント２６を構成する微小電極２６ａの一部に電圧を印加する場合の電圧を印加する微小電極２６ａのパターン（ａ）乃至（ｃ）を示す。図２２では、白丸で表現されている微小電圧２６ａに電圧が印加されており、黒丸で表現されている微小電圧２６ａに電圧が印加されていないものとする。
【０１４２】
電圧が印加される微小電極２６ａのパターンが「パターン（ａ）」である場合、光変調素子２５内部に形成される等電位面は「パターン（ａ）」となり、電圧が印加される微小電極２６ａのパターンが「パターン（ｂ）」である場合、光変調素子２５内部に形成される等電位面は「パターン（ｂ）となり、電圧が印加される微小電極２６ａのパターンが「パターン（ｃ）」である場合、光変調素子２５内部に形成される等電位面は「パターン（ｃ）」となる。
【０１４３】
上述のように、本実施形態によれば、電界制御部２２が電圧を印加する微小電極２６ａのパターンを変更することによって、複数の等電位面のパターンを生成することができるため、より精度良く干渉縞の画像パターンを生成することができる。
【図面の簡単な説明】
【０１４４】
【図１】本発明の第１の実施形態に係る立体画像表示システムの全体構成図である。
【図２】本発明の第１の実施形態に係る立体画像表示システムにおける光変調素子に記録される計算機ホログラムの一例を示す図である。
【図３】本発明の第１の実施形態に係る立体画像表示システムにおける立体画像表示装置について説明するための図である。
【図４】本発明の第１の実施形態に係る立体画像表示システムにおける立体画像表示装置について説明するための図である。
【図５】本発明の第１の実施形態に係る立体画像表示システムにおける電界制御部の機能ブロック図である。
【図６】本発明の第１の実施形態に係る立体画像表示システムにおける電界制御部による制御方法を説明するための図である。
【図７】本発明の第１の実施形態に係る立体画像表示システムにおける電界制御部による制御方法を説明するための図である。
【図８】本発明の第１の実施形態に係る立体画像表示システムにおける電界制御部による制御方法を説明するための図である。
【図９】本発明の第１の実施形態に係る立体画像表示システムの動作を示すフローチャートである。
【図１０】本発明の第２の実施形態に係る立体画像表示システムの全体構成図である。
【図１１】本発明の第２の実施形態に係る立体画像表示システムにおける立体画像表示装置について説明するための図である。
【図１２】本発明の第３の実施形態に係る立体画像表示システムにおけるホログラム記録素子を説明するための図である。
【図１３】本発明の第４の実施形態に係る立体画像表示システムの全体構成図である。
【図１４】本発明の第４の実施形態に係る立体画像表示システムにおけるサーバ装置の機能ブロック図である。
【図１５】本発明の第４の実施形態に係る立体画像表示システムにおける立体画像表示装置を説明するための図である。
【図１６】本発明の第４の実施形態に係る立体画像表示システムにおける立体画像表示装置を説明するための図である。
【図１７】本発明の第４の実施形態に係る立体画像表示システムの動作を示すフローチャートである。
【図１８】本発明の第５の実施形態に係る立体画像表示システムにおける立体画像表示装置を説明するための図である。
【図１９】本発明の第５の実施形態に係る立体画像表示システムにおける立体画像表示装置を説明するための図である。
【図２０】本発明の第６の実施形態に係る立体画像表示システムにおける立体画像表示装置を説明するための図である。
【図２１】本発明の第６の実施形態に係る立体画像表示システムにおける立体画像表示装置を説明するための図である。
【図２２】本発明の第６の実施形態に係る立体画像表示システムにおける立体画像表示装置を説明するための図である。
【図２３】従来の単純マトリクス方式の電極構造を有する画像表示装置を説明するための図である。
【図２４】従来のアクティブマトリクス方式の電極構造を有する画像表示装置を説明するための図である。
【図２５】従来の画像表示装置の問題点を説明するための図である。
【符号の説明】
【０１４５】
Ａ…物体光
Ｂ…参照光
１…干渉縞計算装置
２…立体画像表示装置
２１…ホログラム記録素子
２２…電界制御部
２２ａ…画像信号受信部
２２ｂ…記憶部
２２ｃ…決定部
２２ｄ…電圧印加部
２２ｅ…移動制御部
２３…上面電極
２４…下面電極
２５…光変調素子
２６…制御ポイント
２７…電極移動部
３１…通信部
３２…光源
３３…光反射板
３…参照光照射装置
５…パケット通信ネットワーク
１００…サーバ装置
【図１】
2006154133.tif 000003
【図２】
2006154133.tif 000004
【図３】
2006154133.tif 000005
【図４】
2006154133.tif 000006
【図５】
2006154133.tif 000007
【図６】
2006154133.tif 000008
【図７】
2006154133.tif 000009
【図８】
2006154133.tif 000010
【図９】
2006154133.tif 000011
【図１０】
2006154133.tif 000012
【図１１】
2006154133.tif 000013
【図１２】
2006154133.tif 000014
【図１３】
2006154133.tif 000015
【図１４】
2006154133.tif 000016
【図１５】
2006154133.tif 000017
【図１６】
2006154133.tif 000018
【図１７】
2006154133.tif 000019
【図１８】
2006154133.tif 000020
【図１９】
2006154133.tif 000021
【図２０】
2006154133.tif 000022
【図２１】
2006154133.tif 000023
【図２２】
2006154133.tif 000024
【図２３】
2006154133.tif 000025
【図２４】
2006154133.tif 000026
【図２５】
2006154133.tif 000027